(57)【要約】  本発明は、ケーブルコネクタの長手方向の軸に沿って延在する基部を備えるハウジングを有するケ−ブルコネクタに関する。基部は、ケーブルのフェルールシステムを収容するためのケーブル差込部分と、前記ケーブル差込部分から前記長手方向の軸に沿って延在するさらなる部分とを備えている。このさらなる部分は、一以上の取り付け構造体を備えている。また、基部は、前記取り付け構造体と協働するように設けられた一以上の取り付け要素を有するハウジング部品を備え、ハウジング部品を基部に取り付けて前記さらなる部分において前記ハウジングを完成している。取り付け構造体及び取り付け要素は、前記ハウジング部品が前記長手方向の軸に沿って取り付け開始位置から取り付け終了位置へ動かされるときに、前記ハウジング部品が前記基部の方へ押し付けらされるように構成されている。従って、強固な嵌合と組立容易なケーブルコネクタが得られる。
2008510284.tif 000002
【特許請求の範囲】
【請求項１】
−  ケーブルコネクタの前側部分と後側部分との間で長手方向の軸に沿って延在する基部であって、前記基部は前記後側部分のケーブルのためのケーブル差込口部分と、前記長手方向の軸に沿って前記ケーブル差込口部分から前記前側部分まで延在するさらなる部分とを備え、前記さらなる部分は一以上の取り付け構造体を備えることを特徴とする基部；と、
−  前記取り付け構造体と協働するように設けられ、前記ハウジング部品を前記基部に取り付け、前記ハウジングを前記さらなる部分において完成させる、一以上の取り付け要素を有する少なくとも１つのハウジング部品；と
を備え、
前記取り付け構造体と前記取り付け要素とは、前記ハウジング部品が前記長手方向の軸に沿って取り付け開始位置から取り付け終了位置へ動くときに、前記ハウジング部品が前記基部の方へ押し付けられることを特徴とするハウジングを有するケーブルコネクタ。
【請求項２】
前記ハウジング部品は上壁と側壁とを備え、
前記側壁は前記取り付け要素を備え、
前記取り付け構造体と前記取り付け要素とは、前記ハウジング部品が前記取り付け開始位置から前記取り付け完了位置まで動かされるときに、前記側壁が前記長手方向の軸に向かって押し付けられ、前記上壁が前記基部に向かって押し付けられることを特徴とする請求項１に記載のケーブルコネクタ。
【請求項３】
前記基部は前記長手方向の軸に平行な端部を備え、
前記取り付け構造体は前記端辺に設けられており、
前記取り付け構造体のそれぞれが前記取り付け要素のための案内スロットと、前記取り付け要素と協働するように設けられた楔形構造体とを備え、前記ハウジング部品を前記基部に向かって押し付けることを特徴とする、請求項１又は２に記載のケーブルコネクタ。
【請求項４】
前記楔形構造体は、前記長手方向の軸に対して第１の角を形成する法線を有する第１の表面を備え、前記ハウジング部品を前記基部に向かって押し付けることを特徴とする、請求項３に記載のケーブルコネクタ。
【請求項５】
前記取り付け要素は、取り付けに当たって前記楔形構造体の前記第１の表面に当接するように配置された内表面を有する鉤状部分を備え、前記内表面の法線は、前記長手方向の軸に対して第２の角を形成し、前記第２の角は前記第１の角より小さくされていることを特徴とする請求項４に記載のケーブルコネクタ。
【請求項６】
前記案内スロットの案内表面の法線及び／又は前記楔形構造体の第２の表面の法線は、前記基部に垂直な方向と所定の角度を形成し、前記ハウジング部品の上壁は、前記ハウジング部品を前記長手方向の軸に沿って前記取り付け開始位置から前記取り付け終了位置へ動かすときに、前記基部に向かって押し付けられることを特徴とする請求項３〜５のいずれか一項に記載のケーブルコネクタ。
【請求項７】
前記取り付け構造体は、前記基部において前記ハウジングの内側に膨出状に形成された状態で設けられていることを特徴とする請求項１〜６のいずれか一項に記載のケーブルコネクタ。
【請求項８】
前記取り付け構造体は、前記取り付け要素を前記取り付け開始位置に、前記長手方向に略垂直に挿入するように設けられた挿入構造体を備えていることを特徴とする請求項１〜７のいずれか一項に記載のケーブルコネクタ。
【請求項９】
前記ハウジング部品は、前記ハウジング部品が前記取り付け開始位置から前記取り付け終了位置へ動かされるときに、前記基部に向かう前記力とは逆向きに前記基部と相互作用するように前記取り付け要素の近傍に設けられた、押し付け力相殺構造体を備えていることを特徴とする請求項１〜８のいずれか一項に記載のケーブルコネクタ。
【請求項１０】
前記取り付け要素は予備形成された鉤状要素を備え、該鉤状要素の内部表面の少なくとも一部が、前記取り付け終了位置における前記取り付け構造体に当接するように配置されていることを特徴とする請求項１〜９のいずれか一項に記載のケーブルコネクタ。
【請求項１１】
前記基部は、前記ハウジング部品の接触端を支持するように設けられた１以上の支持構造体を備え、前記ハウジング部品が前記取り付け開始位置から前記取り付け終了位置へ動かされるときに、前記ハウジング部品の接触端が前記基部と平面接触状態となることを特徴とする請求項１〜１０のいずれか一項に記載のケーブルコネクタ。
【請求項１２】
前記ケーブル差込部分は、前記ハウジング部品が前記取り付け終了位置にあるときに、前記ハウジング部品の固定要素と協働するように設けられた固定構造体を備えていることを特徴とする請求項１〜１１のいずれか一項に記載のケーブルコネクタ。
【請求項１３】
前記固定要素はラッチを備え、前記固定構造体は前記ラッチと協働するように設けられた表面を備えて前記ハウジング部品を前記取り付け終了位置に固定していることを特徴とする請求項１２に記載のケーブルコネクタ。
【請求項１４】
前記固定要素は凸状又は凹状の要素を備え、前記固定構造体は固定要素に対応して相補的な凹状又は凸状の構造体を備えて前記ハウジング部品を前記取り付け終了位置に固定することを特徴とする請求項１２に記載のケーブルコネクタ。
【請求項１５】
前記さらなる部分は１以上の端子ブロックハウジングを備え、これら端子ブロックハウジングのそれぞれは少なくとも１つの位置決め部材を有し、前記ハウジング部品は、前記位置決め部材と協働するように設けられた１以上の位置決め要素を有する前端部を備え、前記基部に垂直な方向の前記端子ブロックハウジングの位置は、前記取り付け終了位置にある前記ハウジング部品によって定められることを特徴とする請求項１〜１４のいずれか一項に記載のケーブルコネクタ。
【請求項１６】
前記ハウジング部品は、前記ハウジング部品の後端から前記ケーブル差込口部分に向かって延在する１以上の取り付けビームを備えていることを特徴とする請求項１〜１５のいずれか一項に記載のケーブルコネクタ。
【請求項１７】
前記ケーブルコネクタは、前記基部と協働して前記ハウジングを前記ケーブル差込口部分に完成するように設けられたさらなるハウジング部品を備え、前記さらなるハウジング部品は、前記ハウジング部品と相互作用して前記ハウジング部品を前記基部の方へ押し付ける、及び／又は前記ハウジング部品を前記取り付け開始位置の方へ動かないように阻止する構造体を備えていることを特徴とする請求項１〜１６のいずれか一項に記載のケーブルコネクタ。
【請求項１８】
前記基部はダイカスト金属の基部であり、前記ハウジング部品はシート状金属のハウジング部品であることを特徴とする請求項１〜１７のいずれか一項に記載のケーブルコネクタ。
【発明の詳細な説明】
【技術分野】
【０００１】
本発明は、
−  ケーブルコネクタの前側部分と後側部分との間において長手方向に沿って延在するベースであって、前記ベースは前記後側部分のケーブルのためのケーブル差込部分と、前記ケーブル差込部分から前記長手方向の軸に沿って前記前側部分まで延在するさらなる部分とを備え、前記さらなる部分は一以上の取り付け構造体を備えるベースと、
−  前記取り付け構造体と協働するように設けられた一以上の取り付け要素を有する少なくとも１つのハウジング部品であって、前記ハウジング部品を前記基部に取り付け、前記ハウジングを前記さらなる部分において完成する、少なくとも１つのハウジング部品と、
を備えるハウジングを有するケーブルコネクタに関する。
【背景技術】
【０００２】
特許文献１は、コネクタの前側部分と後側部分との間に実質的に延在するダイカストの基部を有するハウジングを備えるケーブルコネクタを開示している。ダイカストの第１のハウジング部品は、前記ダイカストのハウジング部品と前記ダイカストの基部の第１の部分とが第１のケーブルコネクタ部分を後側部分に決定するように、ダイカストの基部に取り付けられる。第２のハウジング部品を形成された金属シートは、第２のハウジング部品が形成された金属シートと前記ダイカストの基部の第２の部分とが第２のケーブルコネクタ部分を前記前側部分に決定するように、ダイカストの基部に取り付けられる。このようなケーブルコネクタは、ダイカストの基部を、ハウジング部品を形成された金属シートに前側部分において結合している。ハウジング部品を形成された金属シートは、ケーブルコネクタハウジングの前側部分の壁部の厚みを制限する可能性を提供し、このケーブルコネクタの前側部分は、小さい寸法の開口部を有する結合パネルに挿入することができるが、なおダイカストの部品を使用している。ダイカストの部品によって、通常このような部品の形成能に関する大きな自由度を持つことが可能となる。ハウジング全体の前側部分と後側部分との間に延在するダイカストの基部はこのケーブルコネクタに剛性を与える。
【０００３】
従来技術のケーブルコネクタに関する問題は、部品を形成された金属シートの、ダイカストの基部に対する取り付けが複雑であり、ケーブルコネクタの機械的及び電磁気的な遮蔽性能を損なう不十分な取り付けを生じさせる場合があるということである。
【特許文献１】国際公開２００４／０５７７０７号パンフレット
【発明の開示】
【発明が解決しようとする課題】
【０００４】
本発明の目的は、ケーブルコネクタの長手方向の軸に沿って延在する基部を有し、この基部にハウジングの部品を取り付けるための改良された取り付け手段を有するケーブルコネクタを提供することである。
【課題を解決するための手段】
【０００５】
この目的は、前記取り付け構造体及び取り付け手段が、前記ハウジング部品が前記長手方向の軸に沿って取り付け開始位置から取り付け終了位置へ動かされるときに、前記ハウジング部品が前記基部の方へ押し付けられるように構成されていることを特徴とするケーブルコネクタを提供することによって達成される。ハウジング部品だけを基部の長手方向の軸に沿って動かすことによって、ハウジング部品は、協働する取り付け要素及び取り付け構造体のそれぞれの構成によって基部に固定される。よって、取り付け要素及び取り付け構造体は予備形成することができ、作業者がそれぞれ個々のコネクタに対して取り付け手段を手作業で形成する、又は修正する必要を回避することができる。また、予備形成された取り付け要素及び取り付け構造体は精密に形作られ、ハウジング部品の基部への十分な固定を補償している。さらに、機能を保持する許容誤差が、適切な性能及び結果的なケーブルコネクタの品質を保障する供給されたコネクタ部品に組み込まれているので、製造経費は削減され、及び／又は生産能力は向上される。
【０００６】
本発明の１つの実施形態においては、ハウジング部品は上壁及び側壁を備え、前記側壁は前記取り付け要素を備え、ここで前記取り付け構造体及び前記取り付け要素は、前記ハウジング部品が前記取り付け開始位置から前記取り付け終了位置へ動かされるときに、前記側壁が前記長手方向の軸に向かって押し付けられ、前記上壁が前記基部に向かって押し付けられるように構成されている。したがって、ハウジング部品は、２つの方向において基部に固定される。ハウジング部品の側壁にとってこれは、前記基部が前記長手方向の軸に平行な端辺を備え、前記取り付け構造体が前記端辺に設けられており、前記取り付け構造体のそれぞれが前記取り付け要素のための案内スロットと、前記取り付け要素と協働するように設けられた形状の楔形構造体とを備え、前記ハウジング部品を前記基部に向かって押し付けることを特徴とする実施形態によって、好ましく達成されている。取り付け要素を、前記案内スロットを通じるとともに前記楔形構造体に沿って滑動させることによって、ハウジング部品の側壁に取り付けられた取り付け要素は構造体の表面によって押し付けられ、側壁が基部に固定される。
【０００７】
ダイカストの基部とシート状金属のハウジング部品の場合には、ダイカストの基部は取り付け要素とダイカストの取り付け構造体とのカッティング相互作用によって損傷される場合がある。結果として生じた遊離粒子は、コネクタの性能に、例えば望ましくない部分において電気的短絡を生じさせることによって、影響を与える場合がある。従って、本発明の好ましい実施形態においては、楔形構造体は、前記長手方向の軸に対して第１の角を形成する法線を有する第１の表面を備え、前記取り付け要素は、取り付けに当たって前記楔形構造体の前記第１の表面に当接するように配置された内表面を有する鉤状部分を備え、前記内表面の法線は前記長手方向の軸に対して第２の角を形成し、前記第２の角は前記第１の角より小さくされている。結果的に、ハウジング部品を取り付け開始位置から取り付け終了位置へ動かすときに、鉤状部分の内表面は、最初は直線に沿って楔形構造体に接触し、次いで平面接触が確立される。このように、取り付け要素から取り付け構造体への激しいカッティング効果が回避される。
【０００８】
本発明の１つの実施形態においては、前記案内スロットの案内表面の法線及び／又は前記楔形構造体の第２の表面の法線は前記基部に垂直な方向と所定の角度を形成し、前記ハウジング部品の上壁は、前記ハウジング部品を前記長手方向の軸に沿って前記取り付け開始位置から前記取り付け終了位置へ動かすときに、前記基部に向かって押し付けられる。従って、ハウジング部品は基部にさらに固定される。
【０００９】
密度を考慮すると、ケーブルコネクタの基部の壁厚が小さいことが必要とされるので、取り付け構造体は好ましくはコネクタのハウジングの内側に膨出部状に形成される。
【００１０】
本発明の１つの実施形態において、取り付け構造体は、前記取り付け要素を前記取り付け開始位置に前記長手方向に略垂直に挿入するように設けられた挿入構造体を備えている。従って、取り付け要素が基部中の対応する取り付け構造体に差し込まれるように、ハウジング部品が変形され又は別様に操作される必要はない。
【００１１】
本発明の１つの実施形態において、ハウジング部品は、前記ハウジング部品が前記取り付け開始位置から前記取り付け終了位置へ動かされるときに、前記基部に向かう前記力とは逆向きに前記基部と相互作用するように前記取り付け要素の近傍に設けられた、押し付け力相殺構造体を備えている。これら押し付け力相殺構造体は、別様にダイカストの金属のような比較的柔らかい材料の場合のように、予備形成された取り付け構造体が取り付けの間に損傷を受ける可能性を低下させている。
【００１２】
本発明の１つの実施形態において、基部は、前記ハウジング部品の接触端を支持するように設けられた１以上の支持構造体を備え、前記ハウジング部品は、前記取り付け開始位置から前記取り付け終了位置へ動かされるときに、前記部品の接触端が前記基部と平面接触状態となる。この構成もまた、ハウジング部品と基部との間のカッティング端辺での接触を防止している。
【００１３】
本発明の１つの実施形態において、ケーブル差込部分は、前記ハウジング部品が前記取り付け終了位置にあるときに、前記ハウジング部品の固定要素と協働するように設けられた固定構造体を備えている。このような固定構成は、ケーブルコネクタの設置の容易性に貢献している。取り付け要素は、ハウジング部品の取り付け終了位置への移動の間に弾性的に変形する。従って、取り付け終了位置では、ハウジング部品は、取り付け要素のばね力の作用によって取り付け開始位置へ戻ろうとする。固定構成によって、作業者はハウジング部品を取り付け終了位置に固定することができ、ケーブルコネクタをテストし又はさらに完全にすることができる。１つの実施形態において、固定要素はラッチを備え、前記固定構造体は、前記ラッチと協働するように設けられた表面を備え、前記ハウジング部品を前記取り付け終了位置に固定する。このラッチされた構成はハウジング部品の安全な固定を保証している。別の実施形態においては、固定要素は凸状又は凹状の要素を備え、前記固定構造体は、固定要素に対応して相補的な凹状又は凸状の構造体を備え、前記ハウジング部品を前記取り付け終了位置に固定している。このような構造体は容易に製造され、作業者がハウジングを再び開けるときにラッチを操作する必要が無い。よって、ケーブルコネクタの修繕可能性は改善される。
【００１４】
本発明の好ましい実施形態において、さらなる部分は１以上の端子ブロックハウジングを備え、これら端子ブロックハウジングのそれぞれは少なくとも１つの位置決め形状部を有し、前記ハウジング部品は、前記位置決め形状部と協働するように設けられた１以上の位置決め要素を有する前端部を備え、前記基部に垂直な方向の前記端子ブロックハウジングの位置は前記取り付け終了位置にある前記ハウジング部品によって定められる。端子ブロックハウジングは通常、ケーブルコネクタの前側部分でスタック（ｓｔａｃｋ）に積み重ねられるので、合計許容誤差のスタックが得られる。ハウジング部品の前側部分で位置決め要素を正確に形成された個々の位置決め形状部の協働が、ケーブルコネクタ内の端子ブロックハウジングの改良された位置決めを提供している。
【００１５】
本発明の１つの実施形態において、ケーブルコネクタは、前記基部と協働して前記ハウジングを前記ケーブルが差し込まれる部分において完成するように設けられたさらなるハウジング部品を備え、前記さらなるハウジング部品は、前記ハウジング部品と相互作用して前記ハウジング部品を前記基部の方へ押し付ける、及び／又は前記ハウジング部品を前記取り付け開始位置の方へ動かないようにする構造体を備えている。更なるハウジング部品は、ケーブルコネクタのハウジングを完成させ、ハウジング部品をケーブルコネクタの前側部分に位置させる追加的な特徴を提供している。
【００１６】
本発明の好ましい実施形態において、ケーブルコネクタの基部はダイカスト金属の基部であり、前記ハウジング部品はシート状金属のハウジング部品である。また、更なるハウジング部品は、好ましくはダイカスト金属の部品である。このようなケーブルコネクタは、前側部分においてダイカストの基部とハウジング部品を形成された金属シートとを結合している。ハウジング部品を形成された金属シートは、ケーブルコネクタハウジングの前部側壁の厚みを制限する可能性を提供しており、このケーブルコネクタの前側部分は、相変わらずダイカストの部品を使用しているにもかかわらず、小さい寸法の開口部を有する接続パネルに挿入することができる。通常ダイカストの部品によって、このような部品の成形可能性に対する大きな自由度が得られる。ハウジング全体の前側部分と後側部分との間に延在するダイカストの基部は、このケーブルコネクタに剛性を付与する。しかし、特にこれらの要求が適切で無い場合には、ケーブルコネクタのハウジングのさまざまな部品に対する他の材料の使用が同様に予想できる。
【００１７】
前述の実施形態、又はこれら実施形態の特徴を結合することができるということに注意すべきである。
【発明を実施するための最良の形態】
【００１８】
本発明は、添付の図面を参照してさらに説明されており、図面は本発明による好ましい実施形態を図示している。本発明が、これらの特定された好ましい実施形態に限られることは決して無いということは理解されるであろう。
【００１９】
図１、２及び３Ａ〜３Ｆは、Ｉ／Ｏケーブルコネクタ１を示し、そのモジュラー部品、すなわち基部２は、ケーブル差込み口部分３及びさらなる部分４と、ハウジング部品５及びさらなるハウジング部品６とを備えている。基部２はダイカスト金属部品であり、ハウジング５は、側壁７及び上壁８を有するシート状金属のＵ字状の部品である。
【００２０】
ケーブルコネクタは、ケーブルコネクタ１を対応部品に接続するための端子ブロックハウジング９を備える前側部分Ｆを有している。これら端子ブロックハウジング９及びそれらの接点は、本発明の出願人の特許文献１に記載されており、端子ブロックハウジングの形状、構成及び機能に関して参照によってここに組み込まれている。嵌合の後、ケーブルコネクタ１を例えばバックパネル又はボードコネクタハウジングに取り付けるためにネジ１０を使用することができる。基部２の更なる部分４は長手方向の軸Ｌに沿って、ケーブル差込口部分３からケーブルコネクタの前側部分Ｆまで延在している。さらに、ケーブルコネクタ１は、ケーブル１１に対するケーブル差込口を有する後側部分Ｒを有している。
【００２１】
ケーブル差込口部分３はケーブル１１のフェルールシステムに適合するための空間を備えている（図４Ａ、図４Ｂ及び図９Ｂ参照）。したがって、以下において、ケーブル差込口部分３は、またフェルール部分３として参照される。この空間は、フェルールシステムと協働するリブと、ケーブル１１のフェルールシステムのフランジ部分（図９Ｂに示す）に適合する凹部又はスロット１３とを備えている。ケーブルコネクタのフェルール部分３のこれらの特徴は、本出願の出願人の未公開の独国特許出願第１０２６４５１号に記載されており、フェルール部分３の実施形態に対する参照によってここに組み込まれている。
【００２２】
また、フェルール部分３は、さらなるハウジング部分６をフェルール部分３に取り付けるための取り付けピラー１４を備え、フェルール部分３においてケーブルコネクタ１のハウジングを完成している。さらに、フェルール部分３は、ネジ１０を受け入れるための構造体１５を備えている。
【００２３】
本発明の特徴として、ケーブルコネクタ１のフェルール部分３はハウジング部品５と協働する表面１７を有する固定構造体１６を有して設けられており、この固定構造体１６については、図７Ａを参照してより詳細に説明される。
【００２４】
基部２のフェルール部分３から延在するさらなる部分４は、フェルール部分３の近傍の肉厚部分２０とケーブルコネクタ１の前側部分Ｆの肉薄部分２１とを有する面を備える。肉薄部分２１は、端子ブロックハウジング９が適用されてケーブル１１の配線がこれらの端子ブロックハウジング９に取り付けられた接続ボードで終端している場合（図４Ａ参照）に、電気的な短絡を避けるための凹部２２を有している。また、開口部２３が設けられ、端子ブロックハウジング９を肉薄部分２１の表面に垂直なＮ２の方向に最初に位置決めするためのペグを収容している。
【００２５】
ケーブルコネクタ１は、フェルール部分３の近傍と前側部分Ｆとに支持構造体２４を有し、ハウジング部品５を支持している。
【００２６】
ケーブルコネクタ１の基部２は、ケーブルコネクタ１の前側部分近傍の端部２６に取り付け構造体２５を有している。高密度ケーブルコネクタのためのものとして、ハウジングの壁部分の厚みは最小である必要があり、取り付け構造体２５は、ケーブルコネクタ１のハウジングの内部の面２１から突出する膨出部２７として設計されている。取り付け構造体は、膨出部２７中のスロットとして製造された挿入構造体２８を備えている。
【００２７】
取り付け構造体２５のそれぞれは、膨出部２７内に設計された案内スロット２９と楔形構造体３０とを備えている。楔形構造体３０は、長手方向の軸Ｌと第１の角αを作る法線Ｎ３１を有する第１の面を有し、案内スロット２９が、長手方向の軸Ｌにそってケーブルコネクタの後側部分Ｒから前側部分Ｆへの方向に縮幅されるようにしている。これは、図３Ｅにおけるさらなる部分４の前部の平面投影図によってよく説明されている。また、楔形構造体３０の第２の面３２の法線Ｎ３２は、図３Ｆの前部の側方投影図によってよく説明されているように、基部２に垂直なＮ２の方向と角βを作っている。
【００２８】
Ｕ字状のハウジング部品５は取り付け要素４０を備え、基部２の取り付け構造体２５と協働している。取り付け要素４０は、側壁７から延在する鉤状要素である。これら取り付け要素４０は、その後にハウジング部品５の適切な部分の曲折が行われる打ち抜き加工によって設けることができる。また、側壁７は、ハウジング部品５を基部２に取り付ける間に膨出部２７の外面と相互作用するように配置された任意の押し付け力相殺構造体４１を備える。また、側壁７は、支持構造体２４と相互作用するように配置された接触端４２を有する。
【００２９】
ハウジング部品５の前端部は位置決め要素４３を備え、この位置決め要素４３は、開口部２３に挿入された前述のペグによって予備位置決めされた後の端子ブロックハウジング９の最終的な位置を定める。ハウジング部品５は好ましくはシート状金属で作られているので、シート状金属の打ち抜き加工は正確に形成された位置決め要素４３を提供することができる。
【００３０】
ハウジング部品の他の側部において、側壁７は、ここではラッチ４４として図示されている固定要素４４を備えている。ラッチ４４は、ハウジング部品５の所定の位置に対する固定構造体１６に一致するように配置され、面１７とラッチ４４との協働が、図７Ａに図示されるように、ハウジング部品をこの位置に固定している。
【００３１】
最後に、ハウジング部品５は、ハウジング部品５の後端部から延在する取り付けビーム４５を備える。ハウジング部品５が基部２に取り付けられたとき、取り付けビーム４５はフェルール部分３に向かって延在する。ハウジング部品５の内側は、好ましくは電気的絶縁層によって覆われており、システムのグランドと端子ブロックにおける接地接点との間の電気的短絡を回避しているので、取り付けビーム４５はケーブル１１のフェルールシステムとハウジング部品５とを電気的に接続するために、折りたたまれた終端部４６を有している。
【００３２】
図４Ａ及び図４Ｂ、図５Ａ〜５Ｃ、及び図６Ａ〜６Ｃは、ハウジング部品５を基部２に取り付ける行程のその後のステップを図示している。
【００３３】
図４Ａにおいて、フェルールシステム５０を有して設けられたケーブル１１が基部２に適用されている。フェルールシステム５０は、（図９Ｂに示す）フランジを凹部１３中に挿入することによって、基部２のフェルール部分３中に配置される。ケーブル１１の個々の電線は、ケーブルコネクタ１の前側部分Ｆで端子ブロックハウジング９に付随する接続ボード５２において終端している。接続ボード又はプリント配線板（ｐｒｉｎｔｅｄ  ｃｉｒｃｕｉｔ  ｂｏａｒｄ：  ＰＣＢ）５２は曲率を有する端部を備え、取り付け構造体２５に適応している膨出部２７を通過する。端子ブロックハウジング９は、ここでは最初は基部２に対して法線方向に、互いの上に配置されている。端子ブロックハウジング９のそれぞれは、端子ブロックハウジング９の一体化された部品として、若しくは前記端子ブロックハウジング９に取り付けられた別々の部品としてのいずれかの位置決め部材５３を備えている。
【００３４】
図４Ｂは、ハウジング部品５を取り付け開始位置に位置させるために、ハウジング部品５がケーブルコネクタ１の基部２の上に配置されている状態を示している。従って、取り付け要素４０は、これら取り付け要素４０をケーブルコネクタ１の長手方向の軸Ｌに略垂直に、即ちここでは矢印Ａ１によって示される法線Ｎ３２の方向へ、取り付け構造体２５の挿入構造体２８に差し込むことができるように配置されなければならない。挿入構造体２８は、ハウジング部品５を取り付け開始位置に持ってくるときに、ハウジング部品５の側壁７が実質的に弾性的に変形するように形成されている。
【００３５】
図５Ａ及び図５Ｂは、ケーブルコネクタ１の前部を異なる斜視図に、取り付け開始位置にあるハウジング部品５を有した状態で示している。図５Ｃは、図５Ｂのさらなる部分４の平面図を示している。取り付け開始位置においては、取り付け要素は、挿入構造体２８を介して取り付け構造体２５に挿入されている。鉤形状の取り付け要素２５の終端部は、案内スロット２９の表面に当接することができる。
【００３６】
ハウジング部品５の取り付けのためには、ハウジング部品５は、ケーブルコネクタ１の後側部分Ｒから前側部分Ｆへ、矢印Ａ２によって示された方向に長手方向の軸Ｌに沿って動かされなければならない。ダイカスト金属のベース２は比較的柔らかい材料であり、遊離金属粒子はケーブルコネクタ１の性能にとって有害であり得るので、ハウジング部品５が基部２を損傷しないように注意する必要がある。従って、取り付け要素４０の内部面４０Ｉは楔形構造体３０の表面３１に平行ではない。これは、楔形構造体４０が、矢印Ａ２の方向へ動かされたときに、取り付け要素４０をこの表面３１に先端接触する場合があるからである。より具体的には、内面４０Ｉの法線４０Ｎは、長手方向の軸Ｌと角γを形成し、このγは既に形成されている角αより小さく、取り付け要素４０の楔形構造体３０との当接に際して、最初に線状接触がなされ、面３１と４０Ｉとの平面接触にスムーズに発展する。
【００３７】
同様の理由で、取り付け開始位置において支持構造体２４は接触端４２を支持し、ハウジング部品５が、取り付け開始位置にあるときに基部２と実質的に平面接触するようにされている。
【００３８】
図６Ａは、ハウジング部品５が取り付け終了位置まで方向Ａ２へ動かされた状態のケーブルコネクタ１を示している。この操作の間にいくつかの行程が行われるが、ハウジング部品５は基部２に対して略平行にあり続ける。
【００３９】
図６Ｂに示したように、ハウジング部品５の前端部の位置決め要素４３は、端子ブロックハウジング９に設けられた位置決め部材５３と相互作用する。位置決め要素は打ち抜き行程において設計され、非常に精密に作られているので、この相互作用によって、端子ブロックハウジング９の当初の位置決めはより精密に形成された位置決め要素４３によって補正される。よって、高度に正確に配置された端子ブロックハウジングの構成が、ケーブルコネクタ１の前側部分Ｆにおいて得られる。
【００４０】
より重要であるのは、取り付け構造体２５の取り付け要素４０との相互作用である。ハウジング部品５が長手方向の軸の方向に動かされるとき、取り付け要素４０の鉤状部は楔形構造体３０に、より具体的には第１の表面３１と第２の表面３２とに接触する。上述のように、内面４０Ｉは、ハウジング部品５の前方への動きの間に表面３１との平面接触を進展させる。一方、表面３１の傾斜によって、案内スロット２９を通じる取り付け要素２５の動きは、図６Ｃにおいて矢印Ｆ７によって示すように、ハウジング５の両側壁７を長手方向の軸Ｌに向かって押し付ける。また、表面３２の傾斜は結果として、鉤状の取り付け要素４０が案内スロット２９を通じて前進するときに、矢印Ｆ８によって示されるように、ハウジング部品の上壁８を基部２に向かって押し付けている。
【００４１】
案内スロット２９はハウジング部品５の取り付け開始位置から取り付け終了位置への方向に縮幅されており、ある瞬間に、案内スロット２９中の取り付け要素４０のさらなる前進が停止されるので、ハウジング部品５のさらなる動きが回避される。しかし、好ましくは、ハウジング部品５の動きはこの段階の前に終了し、ハウジング部品５の前端の位置決め要素４３と、ペグで固定された端子ブロックハウジング９の位置決め部材５３との相互作用によって決められる。
【００４２】
結論として、本実施形態においては、取り付け構造体２５と取り付け要素４０とは、ハウジング部品５が取り付け開始位置から取り付け終了位置へ長手方向の軸Ｌに沿って動かされたときにハウジング部品５が基部２に向かって押し付けられるように構成されている。ハウジング部品５の、基部２の長手方向の軸Ｌに沿った動きによって、ハウジング部品５は、協働する取り付け要素４０と取り付け構造体２５とのそれぞれの構成によって基部２に固定される。よって、取り付け要素４０と取り付け構造体２５とは予備形成することができ、作業者がそれぞれ個々のコネクタに対して取り付け要素４０を手作業で形成する又は修正する必要を回避している。また、予備形成された取り付け要素４０及び取り付け構造体２５は正確に形作られ、ハウジング部品５の基部２に対する十分な固定を保証している。
【００４３】
ハウジング部品５の、取り付け開始位置から取り付け終了位置への長手方向の軸Ｌの方向への動きの間に、大きな力が基部２の取り付け構造体２５とハウジング部品５の取り付け要素４０との間に生じる場合がある。押し付け力相殺構造体４１を、矢印Ｆ８によって示される力に対向し、基部２の薄肉部分２１の損傷を防止するように適用することができる。
【００４４】
図７Ａ〜７Ｃは、ハウジング部品５をケーブルコネクタ１の基部に固定するための固定構成の２つの実施形態を示している。可撓性を有する取り付け要素４０の、ハウジング部品５の取り付け終了位置における楔形構造体３０の傾斜表面３１、３２との相互作用は、結果として取り付け構造体へ戻るばね力作用を生じさせる。よって、ハウジング部品が一端、図６Ａ〜６Ｃに示す取り付け終了位置に位置すると、ハウジング部品５を固定することが好都合である。固定構成によって、作業者はハウジング部品を取り付け終了位置に固定することができ、ケーブルコネクタ１をテストする、若しくはさらに完全体とすることができる。
【００４５】
図７Ａは第１の実施形態を示し、そこでは図２のハウジング部品が、図３Ａに示すように基部２によって固定されている。ラッチ４４は固定構造体１６の表面１７と協働して、ハウジング部品５を前記取り付け終了位置に固定している。ラッチ４４と固定構造体１６とは、取り付け終了位置にあるときに固定作用が生じるように配置されている。このラッチ構成は、ハウジング部品５の安全な固定を保証している。
【００４６】
図７Ｂ及び図７Ｃは、わずかに変型された基部２及びハウジング部品５を有する更なる実施形態を図示している。基部２は支持表面２４に凸状の構造体６０を備え、ハウジング部品５は反対に、接触端４２に凹状の要素６１を備えている。ハウジング部品５が取り付け終了位置にある場合には、凸状の構造体６０と凹状の要素６１とが合致し、ハウジング部品を取り付け終了位置に固定している。このような固定構成は容易に製造することができ、作業者がハウジングを再度開けるときにラッチを操作する必要が無い。よって、ケーブルコネクタ１の修繕可能性が改善される。
【００４７】
図８Ａ及び図８Ｂは、基部２のフェルール部分３においてケーブルコネクタ１のハウジングを完成するためのさらなるハウジング部品６の実施形態を、異なる視点から図示している。このさらなるハウジング部品６は通常、ハウジング部品５が取り付けられ、固定された位置にあるときに、取り付けピラー１４を開口部７０に挿入することによってフェルール部分３に取り付けられている。
【００４８】
さらなるハウジング部品６はいくつかの構造体７１、７２、７３を備え、ハウジング部品５と相互作用している。リブ７１はハウジング部品５の側壁７を基部２の方へ押し付け、一方、さらなるハウジング部品が基部２のフェルール部分３に取り付けられたときに、突起部７２によって同じ効果が上壁８に対して達成されている。また、さらなるハウジング部品６は内部表面７３を有し、ハウジング部品５が取り付け開始位置の後方へ動かないように阻止している。このような阻止部の特徴は、ケーブルコネクタ１が図７Ｂ及び図７Ｃに図示するような固定構成を有する場合に、特に適切である。さらに、さらなるハウジング部品６は、基部２のフェルール部分３にリブ１２に相当する機能を有する内部構造体７４を有している。
【００４９】
最後に、図９Ａ及び図９Ｂには、完成されたケーブルコネクタ１が側面図及びＡ−Ａ断面図の形で示されている。図９Ｂでは、内部表面７３が明瞭にハウジング部品５を阻止している。フェルールシステム５０中のケーブル１１の配置及びケーブルコネクタ１のフェルール部分３におけるケーブル１１の収容については、既に引用されている独国特許出願第１０２６４５１号に記載されている。
【００５０】
上述したケーブルコネクタの実施形態が本発明の技術的範囲を制限しないことに注意すべきであり、楔形構造体３０の傾斜した表面３２と組み合わせて又は楔形構造体３０の傾斜した表面３２を設けずに、底部の案内スロット２９に傾斜を設け、ハウジング部品５の上壁８を基部２のほうへ押し付けるような、さらなる変型が可能である。
【図面の簡単な説明】
【００５１】
【図１】本発明の実施形態によるケーブルコネクタの図である。
【図２】本発明の実施形態による図１のケーブルコネクタのハウジング部品である。
【図３Ａ】本発明の実施形態による図１のケーブルコネクタの基部の外形及び詳細の図である。
【図３Ｂ】本発明の実施形態による図１のケーブルコネクタの基部の外形及び詳細の図である。
【図３Ｃ】本発明の実施形態による図１のケーブルコネクタの基部の外形及び詳細の図である。
【図３Ｄ】本発明の実施形態による図１のケーブルコネクタの基部の外形及び詳細の図である。
【図３Ｅ】本発明の実施形態による図１のケーブルコネクタの基部の外形及び詳細の図である。
【図３Ｆ】本発明の実施形態による図１のケーブルコネクタの基部の外形及び詳細の図である。
【図４Ａ】本発明の実施形態による図１のケーブルコネクタに設けられたケーブルの図である。
【図４Ｂ】本発明の実施形態による図１のケーブルコネクタに設けられたケーブルの図である。
【図５Ａ】本発明の実施形態による、取り付け開始位置にあるハウジング部品を有する図１のケーブルコネクタの詳細の外形の図である。
【図５Ｂ】本発明の実施形態による、取り付け開始位置にあるハウジング部品を有する図１のケーブルコネクタの詳細の外形の図である。
【図５Ｃ】本発明の実施形態による、取り付け開始位置にあるハウジング部品を有する図１のケーブルコネクタの詳細の外形の図である。
【図６Ａ】本発明の実施形態による、取り付け終了位置にあるハウジング部品を有する図１のケーブルコネクタの外形及び詳細の図である。
【図６Ｂ】本発明の実施形態による、取り付け終了位置にあるハウジング部品を有する図１のケーブルコネクタの外形及び詳細の図である。
【図６Ｃ】本発明の実施形態による、取り付け終了位置にあるハウジング部品を有する図１のケーブルコネクタの外形及び詳細の図である。
【図７Ａ】ケーブルコネクタの基部へのハウジング部品を固定するための固定構成の２つの実施形態の図である。
【図７Ｂ】ケーブルコネクタの基部へのハウジング部品を固定するための固定構成の２つの実施形態の図である。
【図７Ｃ】ケーブルコネクタの基部へのハウジング部品を固定するための固定構成の２つの実施形態の図である。
【図８Ａ】本発明の実施形態による図１のケーブルコネクタのさらなるハウジング部品を示す図である。
【図８Ｂ】本発明の実施形態による図１のケーブルコネクタのさらなるハウジング部品を示す図である。
【図９Ａ】完成したケーブルコネクタを示す図である
【図９Ｂ】図９ＡのケーブルコネクタのＡ−Ａ断面図である。
【符号の説明】
【００５２】
１・・・ケーブルコネクタ
２・・・基部
３・・・ケーブル差込口部分
４・・・さらなる部分
５・・・ハウジング部品
７・・・側壁
８・・・上壁
９・・・端子ブロックハウジング
１１・・・ケーブル
１５・・・阻止構造体（構造）
１６・・・固定構造体
２４・・・支持構造体
２５・・・取り付け構造体
２６・・・端部
２８・・・挿入構造体
２９・・・案内スロット
３０・・・楔形構造体
３１・・・第１の表面
３２・・・第２の表面
４０・・・取り付け要素
４１・・・押し付け力相殺構造体
４３・・・位置決め要素
４４・・・ラッチ（固定要素）
４５・・・取り付けビーム
５３・・・位置決め部材
Ｆ・・・前側部分
Ｒ・・・後側部分
Ｌ・・・長手方向の軸
Ｎ２、Ｎ３１、Ｎ３２、４０Ｎ・・・法線
α・・・第１の角
β・・・第２の角
【図１】
2008510284.tif 000003
【図２】
2008510284.tif 000004
【図３Ａ】
2008510284.tif 000005
【図３Ｂ】
2008510284.tif 000006
【図３Ｃ】
2008510284.tif 000007
【図３Ｄ】
2008510284.tif 000008
【図３Ｅ】
2008510284.tif 000009
【図３Ｆ】
2008510284.tif 000010
【図４Ａ】
2008510284.tif 000011
【図４Ｂ】
2008510284.tif 000012
【図５Ａ】
2008510284.tif 000013
【図５Ｂ】
2008510284.tif 000014
【図５Ｃ】
2008510284.tif 000015
【図６Ａ】
2008510284.tif 000016
【図６Ｂ】
2008510284.tif 000017
【図６Ｃ】
2008510284.tif 000018
【図７Ａ】
2008510284.tif 000019
【図７Ｂ】
2008510284.tif 000020
【図７Ｃ】
2008510284.tif 000021
【図８Ａ】
2008510284.tif 000022
【図８Ｂ】
2008510284.tif 000023
【図９Ａ】
2008510284.tif 000024
【図９Ｂ】
2008510284.tif 000025
【国際調査報告】
2008510284.tif 000026
2008510284.tif 000027